(57)【要約】      （修正有）【課題】薄壁容器のフランジを粘着テープによって封緘する際の封緘状態の品質を向上させる。【解決手段】薄壁容器の身部分および蓋部分のフランジを粘着テープにより封緘する装置であって、重ね合わせられた薄壁容器のフランジを案内するフランジ案内部材と、粘着テープの入側に配置した平坦面13、この平坦面と斜めに交差する稜線12を有する凸条部11、粘着テープの出側に配置した稜線に続いて交差した谷線17を有する溝条部16、平坦面および凸条部の両側に設けた側壁14よりなる粘着テープにＶ字型の折目を付ける折目形成部材1と、折目形成部材によりＶ字型の折目を付けられた粘着テープ谷線に、フランジ案内部材によって案内された薄壁容器のフランジの先端を接触させ、Ｖ字型の折り曲げた粘着テープを挟むように押し付けて粘着させるプレス・ローラとを具備するものである。【選択図】図２
2015013648.tif 000002
【特許請求の範囲】
【請求項１】
身部分、蓋部分、これら２つの部分を屈曲自在に連結するヒンジ部を一体に形成した薄
壁容器を、ヒンジ部と対向する身部分および蓋部分のフランジを重ね合わせて感圧性粘着
テープにより封緘する装置であって、
感圧性粘着テープの入側に配置した三角形の平坦面、該平坦面と斜めに交差する稜線を
有する凸条部、感圧性粘着テープの出側に配置した上記稜線に続いて交差した谷線を有す
る溝条部、上記平坦面および凸条部の両側に設けた側壁よりなる感圧性粘着テープにＶ字
型の折目を付ける折目形成部材と、
上記重ね合わされたフランジの先端を、上記折目形成部材により谷形に折り曲げた感圧
性粘着テープの谷線に向けて導くフランジ案内部材と、
上記折目形成部材によりＶ字型の折目を付けられた感圧性粘着テープを、重ね合わされ
た上記フランジに押し付けて粘着するプレス・ローラとを具備することを特徴とする薄壁
容器の封緘装置。
【請求項２】
三角形の平坦面の頂点が溝条部の谷線の始点となるまで三角形の平坦面を拡大したこと
を特徴とする請求項１に記載に薄壁容器の封緘装置。
【請求項３】
凸条部の両側に設けた側壁の間隔を、凸条部の表面に沿った長さが感圧性粘着テープの
幅に対応する間隔に設定したことを特徴とする請求項１または請求項２に記載に薄壁容器
の封緘装置。
【発明の詳細な説明】
【技術分野】
【０００１】
この発明は、鶏卵を入れる複数の凹部を形成した身部分および蓋部分を屈曲自在な連結
部分を介して一体に連結してなる鶏卵容器などの薄壁容器の封緘装置に関する。
【背景技術】
【０００２】
図９の斜視図に示すように、従来の鶏卵容器９は、身部分91と、蓋部分93と、これら２
つの部分91、93を屈曲自在に連結するヒンジ部95とからなり、合成樹脂シートを真空成型
またはブロー成型により一体に成型したものであって、身部分91および蓋部分93には、隔
壁によって仕切られた複数の鶏卵を入れる凹部96、97およびフランジ92、94が形成されて
いる。
【０００３】
このような従来の鶏卵容器９を用いて、身部分91の各凹部96に鶏卵を入れたのち、身部
分91の上に蓋部分93を折り重ね、重ね合わさったフランジ92、94にＶ字形に折り曲げた感
圧性粘着テープを押し付けて接着し、粘着テープの一端部を重ね合わさった状態で鶏卵容
器９の端部からはみ出させておく。
【０００４】
このはみ出した粘着テープの端部を指先で摘まんで横方向に引っ張ることにより、フラ
ンジ92、94から粘着テープを剥離して容易に開封し得るように構成した装置が、下記特許
文献１に開示されている。
【０００５】
下記特許文献１に開示された鶏卵容器の封緘装置は、鶏卵容器の身部分に鶏卵を入れて
蓋部分を押さえながら、鶏卵容器を載せて搬送するコンベアと、このコンベアの側方に配
置された粘着テープのリールと、このリールより粘着テープをコンベアの側方に案内する
ローラと、Ｖ字型のテープ案内面を有する固定ガイドと、この固定ガイドに続いて配列さ
れ、固定ガイドでＶ字型に折り曲げられた粘着テープを鶏卵容器のフランジの上下より押
し付ける一対のプレス・ローラと、粘着テープを切断するカッターとを備えている。
【０００６】
さらに、重ね合わされた鶏卵容器のフランジを、固定ガイドによりＶ字型に折り曲げた
粘着テープの粘着面へ案内するフランジ案内ガイドを備えている。
【０００７】
この封緘装置におけるＶ字型のテープ案内面を有する固定ガイドに代えて、稜線を有す
る粘着テープの入側の凸条部および稜線に続いて交差した谷線を有する出側の溝条部より
なる粘着テープに折り目を付ける折目形成部材が下記特許文献２に開示されている。
【先行技術文献】
【特許文献】
【０００８】
【特許文献１】特開２０１０−３６９５７号公報
【特許文献２】特許第２５３７４６１号公報
【発明の概要】
【発明が解決しようとする課題】
【０００９】
このような従来の感圧性粘着テープを用いて封緘する封緘装置において、鶏卵を入れて
た鶏卵容器９を閉じると２枚のフランジ92、94が重なり合い、この重なり合った２枚のフ
ランジ92、94の先端を、Ｖ字型に曲げた粘着テープの粘着面の谷線に最初に正しく接触さ
せると、図１０の断面図（ａ）に示すように、閉じたフランジ92、94の先端に隙間なく粘
着テープ８を貼り付けることができる。
【００１０】
しかし、特許文献１に開示の装置においては、粘着テープをＶ字型に折り曲げる固定ガ
イドと、重ね合わされた鶏卵容器９のフランジ92、94を粘着テープの粘着面へ案内するフ
ランジ案内ガイドとが離れているために、閉じた鶏卵容器９のフランジ92、94の先端が、
粘着テープ８の粘着面の谷線上に正確に突き当たる確率は極めて低い。
【００１１】
このように、重なり合ったフランジ92、94の先端が、粘着テープ８の粘着面の谷線より
外れた位置に最初に接触すると、以後、粘着面上の位置が変わらないために、図１０の断
面図（ｂ）に示すように、閉じたフランジ92、94の先端から粘着テープ８どうしが粘着し
た部分80が、はみ出して存在することになる。
【００１２】
このように、粘着テープ８どうしの粘着部分80が存在すると、閉じたフランジ92、94に
貼り付く粘着テープ８の有効粘着面積が減少することになり、長時間経過すると鶏卵容器
９の開こうとする弾力によって、図１０の断面図（ｃ）に示すように、粘着テープ８どう
しの粘着部分80が開き、続いて有効粘着面積が減少した部分から開封することがあった。
【００１３】
上記特許文献２には、稜線を有する粘着テープの入側の凸条部および稜線に続いて交差
した谷線を有する出側の溝条部よりなる粘着テープに折り目を付ける折目形成部材が開示
されている。しかし、基本的な発想の開示に留まり、実現するための具体的な構成は開示
されていない。
【００１４】
そこで、この発明の薄壁容器の封緘装置は、粘着テープの粘着面に対して、薄壁容器の
フランジ92、94の先端が最初に接触する位置によって、封緘状態の品質が著しく低下する
封緘上の問題を解決するために考えられたものである。
【課題を解決するための手段】
【００１５】
この発明の薄壁容器の封緘装置は、身部分、蓋部分、これら２つの部分を屈曲自在に連
結するヒンジ部を一体に形成した薄壁容器を、ヒンジ部と対向する身部分および蓋部分の
フランジを重ね合わせて感圧性粘着テープにより封緘する装置であって、感圧性粘着テー
プの入側に配置した三角形の平坦面、この平坦面と斜めに交差する稜線を有する凸条部、
感圧性粘着テープの出側に配置した上記稜線に続いて交差した谷線を有する溝条部、上記
平坦面および凸条部の両側に設けた側壁よりなる感圧性粘着テープにＶ字型の折目を付け
る折目形成部材と、上記重ね合わされたフランジの先端を、上記折目形成部材により谷形
に折り曲げた粘着テープの谷線に向けて導くフランジ案内部材と、上記折目形成部材によ
りＶ字型の折目を付けられた感圧性粘着テープを、重ね合わされた上記フランジに押し付
けて粘着するプレス・ローラとを具備するものである。
【発明の効果】
【００１６】
この発明の薄壁容器の封緘装置によると、折目形成部材において粘着テープの走行方向
を屈曲させているので、折目形成部材と、重ね合わせられた薄壁容器のフランジを案内す
るフランジ案内部材とを接近させることができる。そのために、薄壁容器の重ね合わせた
フランジの先端を粘着テープの谷線に突き当てて封緘することができる。
【００１７】
このように、薄壁容器を粘着テープで封緘すると、粘着テープの有効粘着面積が拡くなるから、使用する粘着テープの幅を狭めることができる。
【図面の簡単な説明】
【００１８】
【図１】この発明の薄壁容器の封緘装置の実施形態を示す平面図、
【図２】図１に示す封緘装置における折目形成部材の第１の実施形態を示す斜視図、
【図３】図２に示す折目形成部材における平面図、正面図、左右の側面図、
【図４】図３の平面図における線ｅ−ｅおよび線ｆ−ｆで切断した断面図、
【図５】図１に示す封緘装置におけるフランジ案内部材の第１の実施形態を示す図、
【図６】図１に示す封緘装置における折目形成部材の第２の実施形態を示す斜視図、
【図７】図６に示す折目形成部材における平面図、正面図、左右の側面図、
【図８】図１に示す封緘装置におけるフランジ案内部材の第２の実施形態を示す図、
【図９】従来の鶏卵容器の一例を示す斜視図、
【図１０】感圧性粘着テープにより薄壁容器のフランジを封緘した状態を説明するための断面図である。
【発明を実施するための形態】
【００１９】
（第１の実施形態）
この発明の封緘装置は、図１の平面図に示すように、鶏卵容器９の身部分91に鶏卵を入
れて蓋部分93を蓋押さえ部材（図示せず）で押さえながら、鶏卵容器９を載せて搬送する
コンベア５と、このコンベア５の側方に設けられた粘着テープ８をその中心線でＶ字型に
折り曲げる折目形成部材１と、蓋を閉じて重ね合わされたフランジ92、94の先端を折目形
成部材１の谷線17に導くフランジ案内部材２と、鶏卵容器９のフランジ92、94に導かれた
粘着テープ８を上下より押し付けて粘着させる上下一対のプレス・ローラ３と、粘着テー
プ８を切断するカッター４と、リール81より粘着テープ８を折目形成部材１に供給するフ
ランジ付きローラ82とを備えている。
【００２０】
コンベア５の反対側には、鶏卵を入れた鶏卵容器９のヒンジ側から押し付けて、鶏卵容
器９のフランジ92、94を、フランジ案内部材２、折目形成部材１およびプレス・ローラ３
に押し付ける押付部材６を備えている。
【００２１】
折目形成部材１は、図２の斜視図および図３の正面図（ａ）、平面図（ｃ）、左右の側
面図（ｂ）、（ｄ）に示すように、稜線12を有する凸条部11と、稜線12に続く谷線17を有
するＶ字型の溝条部16とを有し、凸条部11が粘着テープの入側に配置され、溝条部16が粘
着テープの出側に配置されており、凸条部11の稜線12と溝条部16の谷線17は交差している
。
【００２２】
溝条部16の谷線17の方向が、鶏卵容器９の搬送方向と平行になるように、折目形成部材
１が配置される。
【００２３】
折目形成部材１の稜線12と谷線17との適正な交差角度は、粘着テープ８に使用されてい
る支持フィルムの材質および厚み、繰り出す粘着テープの張力などにより定まるので、試
行により設定される。
【００２４】
稜線12を有する凸条部11の供給側には、粘着テープの裏面（粘着剤層を支持する支持フ
ィルム側）が稜線12に向かって滑り上がる三角形の平坦面13が形成されており、この三角
形の平坦面13は、頂点において稜線12と斜めに交差している。
【００２５】
この稜線12を有する凸条部11に粘着テープ８を供給すると、粘着テープ８が横滑りして
、粘着テープ８の中心線が凸条部11の稜線12から外れるので、平坦面13および凸条部11の
両側に粘着テープ案内用の側壁14、14が設けられている。
【００２６】
粘着テープ８が、三角形の平坦面13および凸条部11の表面を滑りながら走行するとき、
図４の断面図（ｅ）に示すように、側壁14、14の間隔を粘着テープの幅に合わせて一定幅
Ｔにしておくと、平坦面13の入口においては正しく通過するが、稜線12を有する凸条部11
の上に進むと、図４の断面図（ｇ）に示すように、凸条部11の表面に沿った幅が粘着テー
プの幅よりも広くなるので、図４の断面図（ｈ）に示すように、凸条部11において粘着テ
ープが横滑りして、粘着テープ８が存在しない部分80が形成されて、粘着テープ８の中心
線が稜線12から外れることがある。
【００２７】
そこで、凸条部11の表面に沿った粘着テープの幅に合わせるために、図２の斜視図およ
び図４の断面図（ｆ）に示すように、凸条部11を挟む部分における側壁14、14の間隔を狭
めるように膨出部15、15を設けて、間隔ｔ（ｔ＜Ｔ）となるように構成する。
【００２８】
このように側壁14、14および膨出部15、15を構成することにより、供給される粘着テー
プ８の中心線を凸条部11の稜線12上に導くことができる。
【００２９】
凸条部11と溝条部16が交差する部分において形成されるＶ字形の稜線18、18、凸条部11
の稜線12、溝条部16の谷線17が一点に集中している。この集中点19における稜線18、18に
よって、粘着テープ８の搬送方向を変更しながら連続的に山形から谷形に折り曲げること
ができる。
【００３０】
このように、粘着テープ８を山形から谷形に変形するとき、粘着テープ８は、Ｖ字形の
稜線18、18の全幅を擦るので、粘着テープ８の一部に摩擦力が集中することはなく、山形
から谷形へ円滑に変形することができる。このようにして、粘着面に触れることなく粘着
テープ８にＶ字型の折り目を形成することができる。
【００３１】
重ね合わされた鶏卵容器９のフランジ92、94の先端を、折目形成部材１で谷形に折り曲
げた粘着テープ８の谷線に導くためのフランジ案内部材２を備えている。
【００３２】
このフランジ案内部材２は、図５の正面図（ａ）および平面図（ｂ）に示すように、長
方形の金属板21の表面に、鶏卵容器９のフランジ92、94の幅よりも狭い２枚の金属の帯板
22を植設したものである。これら２枚の帯板22は、先端に向かって間隔が狭まるように植
設されており、先端部23は、長方形の金属板21の端部より突出して、折目形成部材１の溝
条部16まで伸びている。
【００３３】
フランジ案内部材２の先端部23は、折目形成部材１の溝条部16において粘着テープの粘
着面に触れないように、長方形の金属板21より突出した先端部23は、その幅が狭められて
いる。
【００３４】
長方形の金属板21の表面は、折目形成部材１の溝条部16の谷線17の延長線上にあり、鶏
卵容器９のフランジ92、94の先端を突き当てて摺動させながら折目形成部材１およびプレ
ス・ローラ３へ導くものである。
【００３５】
絡まった粘着テープ８の修復や粘着テープ８を交換するなどの作業に便利ならしめるた
めに、長方形の金属板21の後端を蝶番24を介して基台７に取り付け、長方形の金属板21の
先端近傍を基台に設けた磁石25により吸引させるように構成されている。
【００３６】
粘着テープ８の状態を修復する際には、図５の平面図（ｂ）に点線で示すように、指先
でフランジ案内部材２の先端近傍を磁石25の吸引力に抗して引き離すと、折目形成部材１
から遠ざけることができ、修復作業を容易に行うことができる。なお、長方形の金属板21
を基台に固定または解放する手段として磁石25に代えてパッチン錠などを使用することが
できる。
【００３７】
（第２の実施形態）
以上で説明した第１の実施形態においては、折目形成部材１の凸条部11の供給側に、
粘着テープの裏面が稜線12に向かって滑り上がる三角形の平坦面13を、凸条部11の途中ま
で形成している。
【００３８】
この第２の実施形態においては、図６の斜視図および図７の正面図（ａ）、平面図（ｃ
）、左右の側面図（ｂ）、（ｄ）に示すように、三角形の平坦面13をＶ字形の稜線18、18
の交点19まで広げて稜線12（図２参照）を短縮して無くしたものである。
【００３９】
しかし、図７の正面図（ａ）および右側面図（ｄ）より明らかなように、凸条部を形成
する２面の一部11ａ、11ａが残存してＶ字形の稜線18、18を形成しており、このＶ字形の
稜線18、18は、第１の実施形態におけるＶ字形の稜線18、18と同じものである。
【００４０】
凸条部の一部11ａ、11ａと溝条部16が交差する部分において形成されるＶ字形の稜線18
、18、溝条部16の谷線17が一点に集中している。この集中点19において、凸条部の稜線12
が無くても、第１の実施形態と同様に粘着テープ８の搬送方向を変更しながら連続的に山
形から谷形に折り曲げることができる。
【００４１】
このように、粘着テープ８を山形から谷形に変形するとき、粘着テープ８は、Ｖ字形の
稜線18、18の全幅を擦るので、粘着テープ８の一部に摩擦力が集中することはなく、山形
から谷形へ円滑に変形することができる。このようにして、粘着面に触れることなく粘着
テープ８にＶ字型の折り目を形成することができる。
【００４２】
粘着テープ８が、三角形の平坦面13および凸条部の一部11ａ、11ａの表面を滑りながら
走行するとき、側壁14a、14aの間隔を粘着テープの幅に合わせて一定幅Ｔにしておくと、
三角形の平坦面13の入口においては正しく通過するが、三角形の平坦面13および凸条部の
一部11ａ、11ａの上に進むと、平坦面13および凸条部の一部11ａ、11ａの表面に沿った幅
が粘着テープの幅Ｔよりも広くなるので、粘着テープが横滑りして、粘着テープの中心線
が集中点19から外れることがある。
【００４３】
そこで、図６の斜視図および図７の正面図（ａ）、右側面図（ｄ）に示すように、三角
形の平坦面13および凸条部の一部11ａ、11ａの表面に沿った幅を粘着テープの幅に合わせ
るために、三角形の平坦面13および凸条部の一部11ａ、11ａを挟む部分における側壁14a
、14aの間隔をＴからｔ（ｔ＜Ｔ）へ連続的に狭めるように間隔を設定されている。
【００４４】
（第３の実施形態）
第１の実施形態におけるフランジ案内部材２は、長方形の金属板21の表面に、鶏卵容器
のフランジ92、94の幅よりも狭い２枚の金属の帯板22を植設したものであるが、この第３
の実施形態においては、図８に示すように、２枚の金属の帯板22に代えて断面形状がＶ字
形のチャンネルを使用する。
【００４５】
図８の正面図（ａ）の線ｃ−ｃにおいて切断した断面図（ｃ）に示すように、フランジ
案内部材２は、断面形状がＶ字形のチャンネル26であって、このチャンネル26の谷線と折
目形成部材１の溝条部16の谷線17とが同一直線をなすように、フランジ案内部材２を配置
する。
【００４６】
そして、折目形成部材１において粘着テープ８の搬送方向が変わるので、フランジ案内
部材２の先端を折目形成部材１の谷線17に著しく接近させることが可能であり、鶏卵容器
９のフランジ92、94の先端を粘着テープ８の谷線に導くことができる。
【００４７】
絡まった粘着テープ８の修復や粘着テープ８を交換するなどの作業に便利ならしめるた
めに、フランジ案内部材２の後端を蝶番24を介して基台７に取り付け、フランジ案内部材
２の先端近傍を基台７に設けた磁石25に吸引させるように構成する。
【００４８】
粘着テープ８の状態を修復する際には、図８の平面図（ｂ）に点線で示すように、指先
でフランジ案内部材２の先端近傍を磁石25の吸引力に抗して引き離すと、折目形成部材１
から遠ざけることができ、修復作業を容易に行うことができる。
【００４９】
そして、鶏卵容器９のフランジ92、94の先端を粘着テープの谷線に粘着させた状態で、
一対のプレス・ローラ３で上下より押し付けて封緘する。
【００５０】
一対のプレス・ローラ３で封緘された粘着テープ８の末端は、カッター４により切断さ
れ、鶏卵を入れて封緘された鶏卵容器はコンベア５により排出される。
【００５１】
以上で説明した実施の形態においては、鶏卵容器の封緘について説明したが、身部およ
び蓋部にフランジを有する他の薄壁容器にも適用することができる。
【符号の説明】
【００５２】
１  折目形成部材
11  凸条部
12  稜線
13  平坦面
14  側壁
15  膨出部
16  溝条部
17  谷線
18  Ｖ字形の稜線
２  フランジ案内部材
３  プレス・ローラ
４  カッター
５  コンベア
６  押付部材
７  基台
８  粘着テープ
９  鶏卵容器
【図１】
2015013648.tif 000003
【図２】
2015013648.tif 000004
【図３】
2015013648.tif 000005
【図４】
2015013648.tif 000006
【図５】
2015013648.tif 000007
【図６】
2015013648.tif 000008
【図７】
2015013648.tif 000009
【図８】
2015013648.tif 000010
【図９】
2015013648.tif 000011
【図１０】
2015013648.tif 000012